(57)【要約】【課題】トップ反を小割にして複数本の繊維コードバンド（ＪＬＢ）を得る際に、タイヤコードを切断することがなく、各繊維コードバンドに含まれるタイヤコードの本数が完全に一致した製品を得ることができるタイヤ部材の製造方法及び切断装置を提供する。【解決手段】トップ反のタイヤコード間のトッピングゴムを、それぞれに含まれるタイヤコードの本数が同じとなるように、ワイヤーによりタイヤコードと平行に切断する。前記ワイヤーはエンドレス状に形成されて駆動プーリーと従動プーリーとの間に掛け渡たされることにより回転駆動する。そして、トップ反の切断のためのトップ反端部の頭出し部分に位置するタイヤコード間のトッピングゴムを切断ピッチでカットして切り口を形成した後に、前記切り口にワイヤーを入り込ませて切断を開始する。【選択図】  図１
2010264518.tif 000002
【特許請求の範囲】
【請求項１】
所定のピッチで配列されるタイヤコードとこれらと略直角方向に向く横糸とを織り合わせて構成されるすだれ織物を、トッピングゴムで被覆することにより形成される幅広のトップ反を所定の切断ピッチで切断して複数本の幅狭の繊維コードバンドを得るタイヤ部材の製造方法であって、
前記トップ反のタイヤコード間のトッピングゴムを、それぞれに含まれる前記タイヤコードの本数が同じとなるように、ワイヤーにより前記タイヤコードと平行に切断することを特徴とするタイヤ部材の製造方法。
【請求項２】
エンドレス状に形成された前記ワイヤーを回転駆動させて前記トップ反を切断することを特徴とする請求項１に記載のタイヤ部材の製造方法。
【請求項３】
前記トップ反の切断のためのトップ反端部の頭出し部分に位置する前記タイヤコード間の前記トッピングゴムを前記切断ピッチでカットして切り口を形成した後に、前記切り口に前記ワイヤーを入り込ませて切断を開始することを特徴とする請求項１又は請求項２に記載のタイヤ部材の製造方法。
【請求項４】
電圧を印加して７０〜１１０℃に昇温させた前記ワイヤーを用いて前記トップ反を切断することを特徴とする請求項１ないし請求項３のいずれか１項に記載のタイヤ部材の製造方法。
【請求項５】
請求項１ないし請求項４のいずれか１項に記載のタイヤ部材の製造方法による切断手段を有することを特徴とする切断装置。
【発明の詳細な説明】
【技術分野】
【０００１】
本発明は、トップ反を小割して複数本の繊維コードバンドを得るタイヤ部材の製造方法及び切断装置に関する。
【背景技術】
【０００２】
従来、タイヤ部材の製造工程においては、各種部材を切断する切断工程が必要に応じて設けられ、各種の切断装置や切断方法が提案されている（例えば、特許文献１）。
【０００３】
近年、タイヤの製造工程において、タイヤの耐久性、走行安定性を向上することを目的として、テープ状の繊維コードバンド（ジョイントレスバンド：以下、「ＪＬＢ」とも言う）をタイヤ成形ドラムに巻付ける製造方法が一般的に行われている。
【０００４】
このＪＬＢはトッピングゴム中に所定本数のタイヤコードを埋設して構成されており、当初は、所定本数配列されたタイヤコードの表裏両面にトッピングゴムを被覆する方法（シングルコード方式）により製造されていたが、近年、生産性の向上を図るため、幅広のタイヤコードすだれ織物の表裏両面にトッピングゴムを被覆して得られたトップ反を、切断装置により所定本数単位で切断する方法（すだれ方式）による製造が行われている。
【０００５】
すだれ方式によるＪＬＢの製造工程を図７〜図１０を用いて具体的に説明する。なお、図７は幅広のタイヤコードすだれ織物の表裏両面にトッピングゴムを被覆してトップ反を得るトップ反製造工程の概略を説明する図である。そして、図８は得られたトップ反を大割する大割工程の概略を説明する図である。さらに、図９は大割されたトップ反を小割する小割工程の概略を説明する図であり、図１０は図９の一部を拡大した図である。
【０００６】
図７に示すように、タイヤコードすだれ織物２２が繰り出しロールから繰り出され（図７では、２台の設備を示しているが、それらは交互に作動する）、配列されて矢印の方向に搬送される。張力を加える設備を通過し、張力を加えられたタイヤコードすだれ織物２２とされる。タイヤコードすだれ織物２２はさらに搬送され、途中に設けられたロール２３を通過する際、表裏両面にトッピングゴム２４が被覆されて、タイヤコード・ゴム複合体２５とされる（トッピングゴム被覆部）。タイヤコード・ゴム複合体２５はさらに搬送され、保護シートと合わされた後、巻き取りロールにて巻き取られ、横幅１４５０ｍｍ前後のトップ反ａが得られる（トップ反巻き取り部）。
【０００７】
次に、得られたトップ反ａは、図８に示すように、繰り出しロールにより繰り出されて白抜き矢印の方向に搬送される。そして、途中に設けられたキャメロンスリッタの刃８３により幅７０ｍｍ前後に大割された後、巻き取りロールにより巻き取られ、大割材料ｂが得られる。
【０００８】
そして、得られた大割材料ｂは、図９に示すように、繰り出しロールにより繰り出されて白抜き矢印の方向に搬送される。そして、途中に設けられたＪＬＢスリッタの刃８３により幅１０ｍｍ前後に小割された後、＃１〜＃７の各ロールに巻き取られ、複数本のＪＬＢｃが得られる。
【０００９】
なお、図９に示されたＪＬＢスリッタの刃８３は、図１０に示すように、円盤形状のスコアカッターであり、回転軸８４の外側に所定間隔に設けられた複数枚の鋭利な刃のカッター部８５と受け刃８６との間に大割材料ｂを通すことにより、大割材料ｂが切断される。
【００１０】
このように、すだれ方式によるＪＬＢの製造方法では、幅広のトップ反を大割、小割することにより、多数本のＪＬＢスリッタを効率的に得ることができるため、シングルコード方式によるＪＬＢの製造方法に比べて生産性を大幅に向上させることができる。
【００１１】
前記したように、このＪＬＢは、タイヤのコニシティーを維持することを目的として、対にしてタイヤ成形ドラムに巻付けられる。そのためには、対となるＪＬＢの各々に含まれるタイヤコード本数が一致していることが要求される。
【００１２】
しかし、上記した従来のすだれ方式によるＪＬＢの製造方法では、トップ反のエンズ精度、即ち、トップ反におけるタイヤコードの配列密度にバラツキが生じること、ＪＬＢ管理、即ち、大割、小割の各工程管理を幅の長さにより行っていること、鋭利な刃のカッターを用いてトップ反や大割材料の切断を行っていること等が原因で、タイヤコード本数が完全に一致したＪＬＢを得ることは困難であった。
【００１３】
即ち、この方法では、例えば、トップ反におけるタイヤコードの配列密度にばらつきが生じた場合、大割、小割の各工程管理は幅により行われ、鋭利な刃のカッターを用いて切断しているため、ばらついたタイヤコードが切断されながら大割、小割が行われる恐れがある。その結果、１本のＪＬＢに含まれるタイヤコードの本数にもバラツキが生じ、このようなバラツキが生じた材料をタイヤ成形工程において使用した場合には、タイヤの幅方向で左右のブレーカー拘束力に差が生じ、ユニフォミティー性能のうち、特にコニシティー（ＣＯＮ）に大きな悪影響を及ぼす。
【先行技術文献】
【特許文献】
【００１４】
【特許文献１】特開２００５−７４５２６号公報
【発明の概要】
【発明が解決しようとする課題】
【００１５】
そこで、本発明は、トップ反を小割にして複数本の繊維コードバンド（ＪＬＢ）を得る際に、タイヤコードを切断することがなく、各繊維コードバンドに含まれるタイヤコードの本数が完全に一致した製品を得ることができるタイヤ部材の製造方法及び切断装置を提供することを課題とする。
【課題を解決するための手段】
【００１６】
本発明に係るタイヤ部材の製造方法は、
所定のピッチで配列されるタイヤコードとこれらと略直角方向に向く横糸とを織り合わせて構成されるすだれ織物を、トッピングゴムで被覆することにより形成される幅広のトップ反を所定の切断ピッチで切断して複数本の幅狭の繊維コードバンドを得るタイヤ部材の製造方法であって、
前記トップ反のタイヤコード間のトッピングゴムを、それぞれに含まれる前記タイヤコードの本数が同じとなるように、ワイヤーにより前記タイヤコードと平行に切断することを特徴とする。
【００１７】
そして、前記のタイヤ部材の製造方法は、
エンドレス状に形成された前記ワイヤーを回転駆動させて前記トップ反を切断することを特徴とする。
【００１８】
また、前記のタイヤ部材の製造方法は、
前記トップ反の切断のためのトップ反端部の頭出し部分に位置する前記タイヤコード間の前記トッピングゴムを前記切断ピッチでカットして切り口を形成した後に、前記切り口に前記ワイヤーを入り込ませて切断を開始することを特徴とする。
【００１９】
さらに、前記のタイヤ部材の製造方法は、
電圧を印加して７０〜１１０℃に昇温させた前記ワイヤーを用いて前記トップ反を切断することを特徴とする。
【００２０】
そして、本発明に係る切断装置は、
前記のタイヤ部材の製造方法による切断手段を有することを特徴とする。
【発明の効果】
【００２１】
本発明によれば、トップ反を小割にして複数本の繊維コードバンド（ＪＬＢ）を得る際に、鋭利な刃先を有しないワイヤーにより切断しているため、切断の途中でタイヤコードが切断されることがない。その結果、各繊維コードバンドに含まれるタイヤコードの本数が完全に一致した製品を得ることができる。
【００２２】
タイヤコードの本数が完全に一致した繊維コードバンドであるため、タイヤ成形工程において使用した場合、タイヤの幅方向で左右のブレーカー拘束力に差が生じず、コニシティー（ＣＯＮ）に悪影響を及ぼさず、安定した性能のタイヤを製造することが可能となる。
【図面の簡単な説明】
【００２３】
【図１】本発明のワイヤーによりトップ反を切断する繊維コードバンドの製造方法の一例を模式的に示す図である。
【図２】本発明のワイヤー固定型のワイヤー式カッターを模式的に示す図である。
【図３】本発明のワイヤー回転型のワイヤー式カッターを模式的に示す図である。
【図４】本発明の切断装置（ワイヤー固定型）の構成を模式的に示す図である。
【図５】本発明の切断装置（ワイヤー回転型）の構成を模式的に示す図である。
【図６】本発明および従来の製造方法により製造された繊維コードバンドを用いたタイヤのコニシティの評価結果を示すグラフである。
【図７】トップ反の製造工程の概略を説明する図である。
【図８】従来のトップ反を大割する大割工程の概略を説明する図である。
【図９】従来の大割されたトップ反を小割する小割工程の概略を説明する図である。
【図１０】図９の一部を拡大した図である。
【発明を実施するための形態】
【００２４】
以下、本発明を実施の形態に基づいて説明する。なお、本発明は、以下の実施の形態に限定されるものではない。本発明と同一および均等の範囲内において、以下の実施の形態に対して種々の変更を加えることが可能である。
【００２５】
１．ワイヤーによりトップ反を切断する繊維コードバンドの製造方法
（１）概要
はじめに本発明のワイヤーによりトップ反を切断する繊維コードバンド（ＪＬＢ）の製造方法の概要について図１を用いて説明する。図１は本発明のＪＬＢの製造方法の一例を模式的に示す図である。図１においてトップ反２を矢印の方向に搬送することにより、ワイヤー１をトップ反２に埋設されたタイヤコード３と平行に走行させ、タイヤコード３の間のトッピングゴム層４及びタイヤコード３と織り合わされた横糸（図示せず）を切断することにより、それぞれに埋設されたタイヤコード３の本数が同じである複数本のＪＬＢ５に切断（分断）する。
【００２６】
このように、鋭利な刃を用いずにワイヤーによりトップ反を切断するため、タイヤコードを切断することがなく、タイヤコードの本数が一致したＪＬＢを提供することができる。このため、ユニフォミティの良好なタイヤを提供することができる。なお、トップ反に替えてトップ反を大分割した大割材料を用いてもよい。
【００２７】
（２）ワイヤー
次に、ワイヤーについて説明する。
【００２８】
イ．ワイヤーの材質、太さ（直径）
ワイヤー１には、ワイヤーの強度や切断箇所のタイヤコードの間隔等を考慮して、直径が０．１５〜０．５ｍｍ程度のピアノ鋼線が好ましく用いられる。
【００２９】
ロ．ワイヤーの支持
切断中にワイヤー１がタイヤコード３に接触してもワイヤー１がタイヤコード３を回避して走行し易いように、ワイヤー１をトップ反２の幅方向に僅かに振らすことができる適度の張力を加えて支持体に張着することが好ましい。
【００３０】
ハ．ワイヤーの温度
切断中、ワイヤー１の温度は、タイヤコード３を溶断する恐れがなく、トッピングゴム層４や横糸をより容易に切断することができる温度に保つことが好ましい。具体的には、トップ反２のタイヤコード３には、一般的にナイロン（ポリアミド系繊維）、ケブラー（デュポン社製アラミド繊維）、ＰＥＮ（ポリエチレンナフタレート）、ＰＥＴ（ポリエステル繊維）などの合成繊維、またはレーヨンなどのパルプ系繊維が用いられ、横糸にはポリエチレン又はポリプロピレンが用いられることを考慮して、７０〜１１０℃に保つことが好ましい。ワイヤーを加熱する方法としては例えばワイヤーに一定の電圧を印加して加熱する方法が好ましく用いられる。
【００３１】
ニ．ワイヤー式カッターの形態
次に、図２、図３により形態の異なる２種類のワイヤー式カッターについて説明する。
【００３２】
ａ．ワイヤー固定型
図２はワイヤー固定型のワイヤー式カッターを模式的に示す図であり、ワイヤー式カッター７は、ワイヤー１が上支持体７３と下支持体７４により所定の張力の下に固定されている。そして、トップ反２を矢印の方向に搬送することにより、ワイヤー１をトップ反２のタイヤコード３と平行に走行させ切断する。このようなワイヤー固定型の場合、構成が簡素であり、カッターを小型化できる利点がある。なお、上支持体７３と下支持体７４を同期して上下動させることにより、ワイヤー１を往復動させる。
【００３３】
ｂ．ワイヤー回転型
図３はワイヤー回転型のワイヤー式カッターを模式的に示す図であり、ワイヤー式カッター７は、エンドレスのワイヤー１と、ワイヤー１が掛け渡される駆動プーリー７１及び従動プーリー７２とを備えている。駆動プーリー７１及び従動プーリー７２の外周面の周方向には嵌め込み溝７１ａ，７２ａが形成され、この嵌め込み溝７１ａ，７２ａはプーリー７１，７２の軸方向に前記所定の切断ピッチに合わせた間隔で複数設けられ、各嵌め込み溝７１ａ，７２ａにワイヤー１を嵌め込んでワイヤー１の位置決めを行っている。また、駆動プーリー７１及び従動プーリー７２は図外の支持体にて支持されており、ワイヤー１に所定の張力を付与するために、駆動プーリー７１及び従動プーリー７２の少なくとも一方をワイヤー１が引っ張られる方向に弾性付勢している。そして、ワイヤー１を矢印の方向に回転させることにより鋸引きの原理によりトップ反２を切断する。ワイヤー回転型は、前記ワイヤー固定型に比べて構成が複雑となるが、切断スピードを大きくでき、またワイヤーの部位による摩耗が一様である利点がある。
【００３４】
（３）トップ反の頭出し
切断開始に際しては、トップ反の端部の頭出し部分にタイヤコード（縦糸）本数が所定の本数となるようトッピングゴム層に複数の切り口を形成後、前記切り口にワイヤーをセットして切断を開始する。
【００３５】
２．切断装置の説明
次に図４、図５により前記形態の異なる２種類のワイヤー式カッターを備えるトップ反の切断装置の構成について説明する。図４は、図２に示したワイヤー固定型のワイヤー式カッターを用いたトップ反の切断装置の構成を模式的に示す図であり、図５は、図３に示したワイヤー回転型のワイヤー式カッターを用いたトップ反の切断装置の構成を模式的に示す図である。各切断装置には、それぞれワイヤー１が取付けられたワイヤー式カッター７、トップ反２を繰り出す繰り出しロール、トップ反２を搬送する搬送手段９、トップ反を大割りした材料１０を巻き取るための巻き取りロールとが設けられている。各図において、繰り出しロールから繰り出されるトップ反２はライナークロス６と分離された後、ワイヤー式カッター７に搬送される。その後、トップ反２は、図４の場合は固定型のワイヤー１により、また図５の場合は回転型のワイヤー１により切断されて複数本のトップ反を大割りした材料１０が製造され巻き取りロールに巻き取られる。なお、前記のように固定型は、ワイヤー式カッター７を簡素で小型にすることができ、一方回転型は、固定型に比べてワイヤー式カッター７が大きくなるが、切断スピードが大きく、ワイヤーの部位による摩耗が一様である。なお、ワイヤー１には通電装置（図示せず）により所定の電圧が印加され、ワイヤー１の温度が所定の温度に保たれている。
【００３６】
３．本実施の形態の作用効果
以上のように本実施の形態では、鋭利な刃ではなく、ワイヤーによりトップ反を切断するため、タイヤコードを切断することなくトッピングゴム層４を切断することが可能となり、ＪＬＢ１本当たりに含まれるタイヤコード３の本数を均一化させることができ、タイヤのユニフォミティを向上させることができる。
【実施例】
【００３７】
［１］実施例１、比較例１
次に、実施例により本発明を説明する。本実施例はナイロン製のタイヤコードをトッピングゴムに埋設したトップ反をワイヤー固定型のワイヤー式カッターにより大割後、さらに小割用のワイヤー式カッターにより切断してＪＬＢを製造し、得られたＪＬＢを用いてタイヤを製造してタイヤのユニフォミティを評価した例である。なお、以下においてはタイヤコードを縦糸と表記する。
【００３８】
１．ＪＬＢの製造
（１）実施例１
使用したトップ反および切断の条件を以下に記載する。
ａ．トップ反              ：線径０．６５ｍｍのナイロン製のタイヤコード（１４０
０ｄｔｅｘ／２）を原反仕上げエンズ５０本／５０ｍｍ
で織り合わせた後トッピングゴムで被覆したトップ反を
、幅８０ｍｍに大割した（長さ３００ｍ）。
ｂ．ＪＬＢ仕上げ幅        ：１０ｍｍ
ｃ．ワイヤー  材質及び直径：ＪＩＳ  Ｇ  ３５０６（ピアノ鋼線）、φ５０ｍｍ
温度        ：８０℃
ｄ．分割スピード          ：５０ｍｍ／ｍｉｎ
【００３９】
（２）比較例１
比較のため、実施例１と同じトップ反（長さ３００ｍ）を、円盤状のスコアカッターを備えるキャメロンスリッタを用いて幅８０ｍｍに大割後、得られた大割材料をさらに小割用キャメロンスリッタを用いて幅１０ｍｍに切断してＪＬＢを製造した。
【００４０】
２．タイヤの製造
実施例１、比較例１のそれぞれで製造したＪＬＢを用いて１９５／６５Ｒ１５  ＬＭ７０３  サイズのタイヤを製造した。
【００４１】
３．ＪＬＢおよびタイヤの評価
実施例１、比較例１で製造したＪＬＢおよびタイヤを以下に記載の評価方法で評価し、得られた評価結果を比較検討した。
【００４２】
（１）評価方法
イ．ＪＬＢの評価
大割材料を切断して得られたＪＬＢの３ロットについて３０ｍごとにＪＬＢの仕上がり、具体的には縦糸（タイヤコード）本数、ＪＬＢ幅を評価した（評価数Ｎ＝３０）。
【００４３】
ロ．タイヤの評価
評価項目    ：ＲＦＶ・ＯＡ（ラジアルフォースバリエーション・オーバーオール）
：ＲＦＶ・１Ｈ（ラジアルフォースバリエーション・１次）
：ＣＯＮ（コニシティ）
評価条件    ：ＪＡＳＯ
評価数Ｎ    ：１００
【００４４】
（２）評価結果
実施例１と比較例１の評価結果を併せて表１に示す。なお、表１の各欄の上段の数値は平均値を、下段の括弧書きの数値は標準偏差を示している。
【００４５】
【表１】
2010264518.tif 000003
【００４６】
表１より、ＪＬＢ１本当たりの縦糸本数の平均値は、実施例１、比較例１共に１０本と等しいが、標準偏差は、比較例１の０．５２本に対して実施例１では０．０本であり、実施例１の場合、評価したＮ＝３０の各ＪＬＢの縦糸本数が完全に一致していることが確認できた。また、ＲＦＶ、ＣＯＮの測定結果においてＣＯＮの標準偏差が低減されており、実施例１ではタイヤのユニフォミティが改善されていることが確認できた。
【００４７】
［２］実施例２、比較例２
次に、他の実施例２、比較例２について説明する。実施例２はナイロン製のタイヤコードをトッピングゴムに埋設したトップ反をワイヤー回転型のワイヤー式カッターにより切断してＪＬＢを製造し、得られたＪＬＢを用いてタイヤを製造してタイヤのユニフォミティを評価した例である。
【００４８】
１．ＪＬＢの製造
（１）実施例２
使用したトップ反および切断の条件を以下に記載する。
ａ．トップ反              ：線径０．６５ｍｍのナイロン製のタイヤコード（１４０
０ｄｔｅｘ／２）を原反仕上げエンズ４２本／５０ｍｍ
で織り合わせた後トッピングゴムで被覆したトップ反を
、幅７０ｍｍに大割した。（長さ４４０ｍ）。
ｂ．ＪＬＢ仕上げ幅        ：１０．８ｍｍ
ｃ．ワイヤー  材質及び直径：ＪＩＳ  Ｇ  ３５２２（ピアノ鋼線）、φ０．１５ｍｍ
温度        ：１００℃
ｄ．分割スピード          ：３０ｍｍ／ｍｉｎ
【００４９】
（２）比較例２
比較のため、実施例２と同じ材料を７０ｍｍに大割り後、円盤状のスコアカッターを備える小割り用ＪＬＢスリッタを用いて幅１０．８ｍｍに切断してＪＬＢを製造した。
【００５０】
２．タイヤの製造
実施例２、比較例２のそれぞれで製造したＪＬＢを用いて１９５／６０Ｒ１５サイズのテストタイヤを製造した。なお、タイヤの製造に際しては、同一ロット中、前成形分と後成形分には比較例２のＪＬＢを用いたタイヤを製造し、中間に実施例２のＪＬＢを用いたタイヤ（テストタイヤ）を製造した。
【００５１】
３．ＪＬＢおよびタイヤの評価
実施例２、比較例２のそれぞれで製造したＪＬＢおよびタイヤを以下に記載の方法で評価し、得られた評価結果を比較検討した。
【００５２】
（１）評価方法
イ．ＪＬＢの評価
ＪＬＢ１本当たりの縦糸本数を評価した。評価数Ｎ＝３０。
【００５３】
ロ．タイヤの評価
実施例１と同じ方法によりＣＯＮを評価した。評価数Ｎ＝３９。
【００５４】
（２）評価結果
イ．ＪＬＢの評価
実施例２のＪＬＢ１本当たりの縦糸本数の平均値は９．０本、標準偏差は０．００本であり、比較例２の平均値は８．８本、標準偏差は０．５１本であった。この結果より、実施例２のＪＬＢ１本当たりの縦糸本数は比較例２に比べて均一化されていることが確認できた。
【００５５】
ロ．タイヤの評価
実施例２と比較例２の評価結果を併せて図６に示す。なお、図６に記載のバーコードはタイヤの製造番号である。図６より、実施例２の場合、ＣＯＮの標準偏差は、比較例２の前成形分１０．７９Ｎ、後成形分１０．５３Ｎ（約１１Ｎ）から４．６７Ｎ(約５Ｎ)に低減されており、タイヤのユニフォミティが向上していることが確認できた。
【符号の説明】
【００５６】
１                      ワイヤー
２、ａ                  トップ反
ｂ                      大割材料
３                      タイヤコード
４                      トッピングゴム層
５、ｃ                  ＪＬＢ
６                      ライナークロス
７                      ワイヤー式カッター
８、２６、８１          トップ反
９                      搬送手段
１０、８２、９１        トップ反を大割りした材料
２１、２２              タイヤコードすだれ織物
２３                    ロール
２４                    トッピングゴム
２５                    タイヤコード・ゴム複合体
７１                    駆動プーリー
７２                    従動プーリー
７１ａ、７２ａ          嵌め込み溝
７３                    上支持体
７４                    下支持体
８３                    刃
８４                    回転軸
８５                    カッター部
８６                    受け刃
【図１】
2010264518.tif 000004
【図２】
2010264518.tif 000005
【図３】
2010264518.tif 000006
【図４】
2010264518.tif 000007
【図５】
2010264518.tif 000008
【図６】
2010264518.tif 000009
【図７】
2010264518.tif 000010
【図８】
2010264518.tif 000011
【図９】
2010264518.tif 000012
【図１０】
2010264518.tif 000013